(57)【特許請求の範囲】
【請求項１】
被写体に係る画像データを生成する撮像手段と、前記画像データに色補正情報を関連付けする関連付け手段とを備えたデジタルカメラのカメラボディに装着可能な交換レンズであって、
前記交換レンズは、前記交換レンズで選択可能な複数種類のフィルタに係る複数の色補正情報を格納する格納手段を備えたことを特徴とする交換レンズ。
【請求項２】
交換レンズと、前記交換レンズが装着可能なカメラボディとを有するデジタルカメラであって、
フィルタの種類に応じた色補正情報を記憶する記憶手段、を備えるとともに、
前記交換レンズは、
(a-1)前記交換レンズにセットされるフィルタの種類を検出する検出手段、を備え、
前記カメラボディは、
(b-1)被写体に係る画像データを生成する撮像手段と、
(b-2)前記検出手段により検出されたフィルタの種類に応じて、前記色補正情報を前記画像データに関連付けする関連付け手段と、
を備えたことを特徴とするデジタルカメラ。
【請求項３】
請求項２に記載のデジタルカメラにおいて、
前記関連付け手段は、
前記交換レンズにセットされるフィルタが色の偏りがない分光透過特性を有するか否かで、異なる色補正情報を前記画像データに関連付けするか否かを判別する手段、
を有することを特徴とするデジタルカメラ。
【請求項４】
請求項２に記載のデジタルカメラにおいて、
前記関連付け手段は、
前記交換レンズにセットされるフィルタが色フィルタである場合には、前記画像データに対する前記色補正情報の関連付けを禁止する手段を有することを特徴とするデジタルカメラ。
【請求項５】
請求項２に記載のデジタルカメラにおいて、
前記関連付け手段は、
前記交換レンズにセットされるフィルタが色温度補正フィルタである場合には、セットされるフィルタの種類に応じた色補正情報を前記画像データに関連付けする手段を有することを特徴とするデジタルカメラ。
【請求項６】
交換レンズと、前記交換レンズが装着可能なカメラボディとを有するデジタルカメラを利用する画像処理方法であって、
(a)前記交換レンズにセットされるフィルタの種類を検出する検出工程と、
(b)被写体に係る画像データを生成する撮像工程と、
(c)前記検出工程において検出されたフィルタの種類に応じた色補正情報を前記画像データに関連付けする関連付け工程と、
(d)関連付けられた色補正情報に基づき、前記画像データに対する画像処理を行う工程とを備えたことを特徴とする画像処理方法。
【発明の詳細な説明】
【０００１】
【発明の属する技術分野】
本発明は、交換レンズと交換レンズが装着可能なカメラボディとを有するデジタルカメラの技術に関する。
【０００２】
【従来の技術】
デジタルカメラで撮影された画像データに関して、モニタやプリンタなどでの色再現性を向上させるため、色補正情報を利用する方法がある。
【０００３】
特開平２０００−２４４９３０には、この方法をレンズ交換可能な一眼レフタイプのデジタルカメラに適用したものが開示されている。すなわち、交換レンズの種類ごとに定められた色補正情報をカメラボディ内に格納し、カメラボディに装着している交換レンズの種類に対応した色補正情報を選択することにより、交換レンズごとに異なる色再現特性を補正することとしている。
【０００４】
【発明が解決しようとする課題】
しかしながら、上記のレンズ交換可能なデジタルカメラでは、カメラボディ内に格納される色補正情報を利用するため、カメラボディが提供された後に交換レンズが提供される場合、この新規な交換レンズの色補正情報がカメラボディから取得できず、交換レンズの特性を反映した色補正が行えないという問題がある。
【０００５】
また、交換レンズの種類は多岐にのぼり、例えば、超望遠レンズや超広角レンズなどフィルタを内蔵するタイプのものがある。この場合にも、画像データの色補正でフィルタ特性を考慮する必要があるが、上記のデジタルカメラではフィルタ特性に関する色補正情報が設定されていないため、色再現を配慮すると撮影者はフィルタ内蔵タイプの交換レンズを選択できず、撮影範囲に制限が生じてしまう。
【０００６】
本発明は、上記課題に鑑みてなされたものであり、画像データに対して交換レンズの特性を反映した色補正を適切に行えるデジタルカメラの技術を提供することを目的とする。
【０００９】
【課題を解決するための手段】
上記の課題を解決するため、請求項１の発明は、被写体に係る画像データを生成する撮像手段と、前記画像データに色補正情報を関連付けする関連付け手段とを備えたデジタルカメラのカメラボディに装着可能な交換レンズであって、前記交換レンズは、前記交換レンズで選択可能な複数種類のフィルタに係る複数の色補正情報を格納する格納手段を備える。
【００１０】
また、請求項２の発明は、交換レンズと、前記交換レンズが装着可能なカメラボディとを有するデジタルカメラであって、フィルタの種類に応じた色補正情報を記憶する記憶手段、を備えるとともに、前記交換レンズは、 (a-1)前記交換レンズにセットされるフィルタの種類を検出する検出手段、を備え、前記カメラボディは、 (b-1)被写体に係る画像データを生成する撮像手段と、 (b-2)前記検出手段により検出されたフィルタの種類に応じて、前記色補正情報を前記画像データに関連付けする関連付け手段とを備える。
【００１１】
また、請求項３の発明は、請求項２に記載のデジタルカメラにおいて、前記関連付け手段は、前記交換レンズにセットされるフィルタが色の偏りがない分光透過特性を有するか否かで、異なる色補正情報を前記画像データに関連付けするか否かを判別する手段を有する。
【００１２】
また、請求項４の発明は、請求項２に記載のデジタルカメラにおいて、前記関連付け手段は、前記交換レンズにセットされるフィルタが色フィルタである場合には、前記画像データに対する前記色補正情報の関連付けを禁止する手段を有する。
【００１３】
また、請求項５の発明は、請求項２に記載のデジタルカメラにおいて、前記関連付け手段は、前記交換レンズにセットされるフィルタが色温度補正フィルタである場合には、セットされるフィルタの種類に応じた色補正情報を前記画像データに関連付けする手段を有する。
【００１４】
また、請求項６の発明は、交換レンズと、前記交換レンズが装着可能なカメラボディとを有するデジタルカメラを利用する画像処理方法であって、 (a)前記交換レンズにセットされるフィルタの種類を検出する検出工程と、 (b)被写体に係る画像データを生成する撮像工程と、 (c)前記検出工程において検出されたフィルタの種類に応じた色補正情報を前記画像データに関連付けする関連付け工程と、 (d)関連付けられた色補正情報に基づき、前記画像データに対する画像処理を行う工程とを備える。
【００１７】
【発明の実施の形態】
＜第１実施形態＞
＜デジタルカメラの要部構成＞
図１〜図３は、本発明の第１実施形態に係るデジタルカメラ１の要部構成を示す図であり、図１は平面図、図２は図１のII−II位置から見た断面図、図３は背面図に相当する。これらの図は必ずしも三角図法に則っているものではなく、デジタルカメラ１の要部構成を概念的に例示することを主眼としている。
【００１８】
デジタルカメラ１は、銀塩一眼レフカメラを利用して構成されたカメラボディ２と、このカメラボディ２のレンズマウント部Ｍｔに着脱可能な交換レンズ３とを有している。
【００１９】
交換レンズ３の光軸方向Ｌの後方には、カメラボディ２内の後部上方の枢支部２１に回動可能に枢支されたクイックリターンミラーＭ１が配設され、さらにこのクイックリターンミラーＭ１の光軸方向Ｌの後方には、フォーカルプレーンシャッター２２と、さらにその後方にカラーエリアセンサのＣＣＤ２３とが配置されている。
【００２０】
このＣＣＤ２３の前面には、ＣＣＤ２３からのアナログ画像信号のサンプリング時の折り返しノイズの影響を抑える空間ローパスフィルタ２４が配設されている。
【００２１】
カメラボディ２では、クイックリターンミラーＭ１の上方位置において、銀塩カメラのファインダーに相当する光学部位２５が形成されており、この光学部位２５には、フォーカシングスクリーン２５１を介してペンタ形プリズム２５２が設けられている。さらに、このプリズム２５２とファインダー窓２５４との間には、接眼レンズ２５３が配置されている。このクイックリターンミラーＭ１、プリズム２５２および接眼レンズ２５３により、光学ファインダーを形成することとなる。
【００２２】
デジタルカメラ１においてオートフォーカスを行う場合には、クイックリターンミラーＭ１は、シャッターボタン２９が撮影者によって全押されるまで、図２に示すように光軸に対して４５度の角度で傾斜した定常位置にあり、交換レンズ３からの光軸Ｌをフォーカシングスクリーン２５１へと向かわせる。シャッターボタン２９が全押しされると、枢支部２１を中心として、ほぼ水平位置まで上方に回動して交換レンズ３からの光路を開放する。
【００２３】
サブミラーＭ２は、クイックリターンミラーＭ１に一体化されたミラーであり、クイックリターンミラーＭ１に部分的に設けられたハーフミラー部を透過した光学像を、このサブミラーＭ２で測距センサ２６に向かわせる。測距センサ２６は、被写体までの距離を検出して交換レンズ３に内蔵されるレンズ群を自動合焦されるものである。
【００２４】
また、カメラボディ２の内部には、交換レンズ３に含まれるフォーカスレンズを光軸方向Ｌに駆動するためのフォーカスモータ２７が設けられるとともに、デジタルカメラ１に電力を供給する４本の電池Ｅと、撮影された画像データなどを記録するメモリカード９とが装着可能となっている。
【００２５】
カメラボディ２の背面には、ＣＣＤ２３の出力に基づいて得られた画像を表示する液晶ディスプレイ(ＬＣＤ)３１が設けられるとともに、「撮影モード」と「再生モード」などを切換設定する切替スイッチ３２が設けられている。撮影モードは、写真撮影を行なうモードであり、再生モードは、メモリカード９に記録された撮影画像をＬＣＤ３１に再生表示するモードである。
【００２６】
デジタルカメラ１の背面右方には、十字キー３３が設けられており、ボタンＵ、Ｄ、Ｌ、Ｒで各種操作が行える。また、カメラ本体部２の背面には、デジタルカメラ１の電源を入り切りする電源スイッチ３４が設けられている。
【００２７】
交換レンズ３は、内部にレンズＲＯＭ３０を備えており、このレンズＲＯＭ３０には、交換レンズ３の色補正情報(パラメータ)でカラーマッチング用のＩＣＣ(International Color Consotium)プロファイルを格納している。
【００２８】
交換レンズでは、交換レンズの種類が異なりそのレンズ材が相違すれば、図４に示すようにそれぞれ分光透過特性Ｌａ、Ｌｂが異なるようになる。なお、図４において、横軸は波長を示し、縦軸は透過率を示している。そこで、デジタルカメラ１では、交換レンズに固有のＩＣＣプロファイルをレンズＲＯＭ３０に格納することにより、画像データに関する色再現性の向上を図ることとする。
【００２９】
図５は、レンズマウント部Ｍｔの要部構成を示す図である。
【００３０】
レンズマウント部Ｍｔには、交換レンズ３が装着可能となっており、レンズ駆動軸ＣａとコネクタＣｂとが設けられている。
【００３１】
レンズ駆動軸Ｃａは、フォーカスモータ２７に接続し、交換レンズ３内のレンズを移動させる駆動力を伝達する。
【００３２】
コネクタＣｂは、カメラボディ２と交換レンズ３とを電気的に接続するための部位であり、これによりレンズＲＯＭ３０に記録されるレンズのＩＣＣプロファイルを伝送できることとなる。
【００３３】
＜デジタルカメラ１の機能ブロック＞
図６は、デジタルカメラ１の機能ブロック図である。
【００３４】
ＣＣＤ２３は、交換レンズ３によって結像された被写体の光像を、Ｒ（赤），Ｇ（緑），Ｂ（青）の色成分の画像信号（各画素で受光された画素信号の信号列からなる信号）に光電変換して出力する。すなわち、ＣＣＤ２３は、被写体に係る画像データを生成する。タイミングジェネレータ４１は、ＣＣＤ２３の駆動を制御するための各種のタイミングパルスを生成するものである。
【００３５】
デジタルカメラ１における露出制御は、絞り制御ドライバ４２による交換レンズ３内のレンズ群の絞りと、ＣＣＤ２３の露光量、すなわち、シャッタスピードに相当するＣＣＤ２３の電荷蓄積時間を調節して行なわれる。
【００３６】
タイミングジェネレータ４１は、タイミング制御回路４３から送信される基準クロック基づきＣＣＤ２３の駆動制御信号を生成するものである。タイミングジェネレータ４１は、例えば積分開始／終了（露出開始／終了）のタイミング信号、各画素の受光信号の読出制御信号（水平同期信号，垂直同期信号，転送信号等）等のクロック信号を生成し、ＣＣＤ２３に出力する。
【００３７】
信号処理部４４は、ＣＣＤ２３から出力される画像信号（アナログ信号）に所定のアナログ信号処理を施すものである。信号処理部４４は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００３８】
Ａ／Ｄ変換部４５は、画像信号の各画素信号を１２ビットのデジタル信号に変換するものである。Ａ／Ｄ変換部４５は、タイミング制御回路４３から入力されるＡ／Ｄ変換用のクロックに基づいて各画素信号（アナログ信号）を１２ビットのデジタル信号に変換する。
【００３９】
タイミングジェネレータ４１、Ａ／Ｄ変換部４５に対するクロックを生成するタイミング制御回路４３が設けられている。タイミング制御回路４３は、全体制御部４０内の基準クロックにより制御される。
【００４０】
黒レベル補正回路４６は、Ａ／Ｄ変換された画素信号の黒レベルを基準の黒レベルに補正するものである。また、ＷＢ（ホワイトバランス）回路４７は、Ｒ，Ｇ，Ｂの各色成分の画素データのレベル変換を行なうものである。ＷＢ回路４７は、全体制御部４０から入力されるレベル変換テーブルを用いてＲ，Ｇ，Ｂの各色成分の画素データのレベルを変換する。なお、レベル変換テーブルの各色成分のパラメータ（特性の傾き）は全体制御部４０により、オートまたはマニュアルで、撮影画像毎に設定される。
【００４１】
色補正回路４８は、装着された交換レンズ３に対するＩＣＣプロファイルや、カメラボディ２に固有な色再現特性を補正するためのＩＣＣプロファイルを、ＣＣＤ２３で取得された画像データに関連付けを行う部位であり、関連付けられたＩＣＣプロファイルに基づき、色補正が可能である。画像メモリ４９は、色補正回路４８から出力される画素データを記憶するメモリである。ＶＲＡＭ５０は、ＬＣＤ３１に表示される画像データのバッファメモリである。また、バックライト５１はＬＣＤ３１の背面に光を供給する。
【００４２】
デジタルカメラ１の再生モードにおいては、メモリカード９から読み出された画像データが全体制御部４０で所定の信号処理が施された後、ＶＲＡＭ５０に転送され、ＬＣＤ３１に再生表示されることとなる。
【００４３】
カードＩ／Ｆ５２は、メモリカード９への画像データの書込み及び画像データの読出しを行なうためのインターフィースである。また、通信用Ｉ／Ｆ５３は、パーソナルコンピュータ８と通信可能に外部接続するための、例えばＵＳＢ規格に準拠したインターフェースである。このカードＩ／Ｆ５２、通信用Ｉ／Ｆ５３を介して、メモリカード９やＣＤ−ＲＯＭなどの記録媒体に記録している制御プログラムを、全体制御部４０のメモリに取り込むことができる。
【００４４】
操作部５４は、切替スイッチ３２、十字キー３３などで構成されている。
【００４５】
ＲＴＣ５５は、撮影日時を管理するするための時計回路である。図示しない別の電源で駆動される。
【００４６】
カメラ操作部５６は、主にデジタルカメラ１の撮影操作に関連するシャッターボタン２９、電源スイッチ３４などで構成されている。
【００４７】
シャッタボタン２９は、銀塩カメラで採用されているような半押し状態（Ｓ１）と押し込んだ状態（Ｓ２）とが検出可能な２段階スイッチになっている。待機状態でシャッターボタン２９をＳ１状態にすると、ＡＦモータ２７によってＡＦのためのレンズ駆動が行われる。
【００４８】
全体制御部４０は、ＣＰＵおよびメモリ(ＲＡＭ４０ａ)を有しており、上述したデジタルカメラ１の各部と有機的に接続してデジタルカメラ１の動作を統括制御するものである。また、全体制御部４０は、ＲＯＭ４０ｂを有しており、このＲＯＭ４０ｂでは、カメラボディ２に対応するＩＣＣプロファイルと、このカメラボディ２に装着して撮影可能なｎ種類の交換レンズに対するＩＣＣプロファイルＰ1、Ｐ2、・・、Ｐnが記憶される。
【００４９】
カメラ制御ＣＰＵ５７は、全体制御部４０と伝送可能に接続しており、主に撮影者からのデジタルカメラ１への操作を処理するためのものである。
【００５０】
全体制御部４０は、撮影モードにおいて、シャッタボタン２９により撮影が指示されると、撮影指示後に画像メモリ４９に取り込まれた画像のサムネイル画像と設定された圧縮率によりＪＰＥＧ方式で圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード９に記憶する。
【００５１】
メモリカード９では、図７に示すように、デジタルカメラ１によって記録された画像を圧縮して記憶可能であり、各コマには、タグ情報の部分と、ＪＰＥＧ形式で圧縮された高解像度の画像信号（１６００×１２００画素）とサムネイル表示用の画像信号（８０×６０画素）が記録されている。このタグ情報の部分には、交換レンズ３に関連するレンズプロファイル９１と、カメラボディ２に関連するカメラプロファイル９２とが、画像データに関連付けて記録される。
【００５２】
図８は、プロファイルの利用の一例を説明する図である。
【００５３】
デジタルカメラ１で撮影された画像データＤｔと、画像データＤｔに関連付けられた交換レンズ３のＩＣＣプロファイルＰＦａ、およびカメラボディ２のＩＣＣプロファイルＰＦｂとは、例えばメモリカード９を介して、パーソナルコンピュータ(パソコン)８に入力される。次に、パソコン本体８ａで起動された画像表示アプリケーションＡｐにおいて、ＩＣＣプロファイルＰＦａ、ＰＦｂの色補正情報を反映する色補正が画像データＤｔに施された後、ガマット調整処理Ｇｍに移行する。このガマット調整処理Ｇｍにおいては、ディスプレイ８ｂのＩＣＣプロファイルＰＦｃを反映する画像処理が行われ、ディスプレイ８ｂに、適切な色再現性を有する画像が表示されることとなる。
【００５４】
なお、交換レンズ３のプロファイルについては、ディスプレイ８ｂに表示する場合だけでなく、プリントアウトの際に使用してもかまわないし、さらにパソコン８で利用するのに限らず、デジタルカメラ１のＬＣＤ３１における画像表示に利用しても良い。
【００５５】
＜デジタルカメラ１の動作＞
図９は、デジタルカメラ１のレンズ交換に関する動作を説明するフローチャートである。なお、本動作は、レンズ交換が検出された際に制御部４０によって自動的に実行される。
【００５６】
ステップＳＴ１では、カメラボディ２に装着された交換レンズ３の種類を確認する。ここでは、コネクタＣｂを介して、交換レンズ３のレンズＲＯＭ３０に格納される交換レンズの情報をカメラボディ２で取得することにより、交換レンズ３の種類が確認できることとなる。
【００５７】
ステップＳＴ２では、ステップＳＴ１の動作に基づき、交換レンズ３の種類が不明であるかを判定する。ここでは、交換レンズ３にレンズＲＯＭ３０が存在しないか、あるいはレンズＲＯＭ３０が存在してもカメラボディ２が種類を判別できない場合には、交換レンズ３の種類が不明と判断される。ここで、交換レンズ３の種類が不明である場合には、ステップＳＴ３に進み、不明でない場合には、ステップＳＴ４に進む。
【００５８】
ステップＳＴ３では、デジタルカメラ１で撮影される画像データに対して、レンズに関するＩＣＣプロファイルの関連付けを禁止する。すなわち、現在装着されている交換レンズを使用して撮影する場合には、画像データにレンズの色補正情報を設定しないようにする。これは、交換レンズ３の種類が不明のため、画像データに対して有効なＩＣＣプロファイルの関連付けができないためである。
【００５９】
ステップＳＴ４では、交換レンズ３のレンズＲＯＭ３０内にレンズのＩＣＣプロファイルがあるかを確認する。
【００６０】
ステップＳＴ５では、レンズＲＯＭ３０に交換レンズ３のＩＣＣプロファイルが格納されているかを判断することとなる。ここで、プロファイルがある場合には、ステップＳＴ６に進み、プロファイルがない場合には、ステップＳＴ７に進む。
【００６１】
ステップＳＴ６では、デジタルカメラ１で撮影される画像データに対して、装着されている交換レンズの種類に応じた、レンズに関するＩＣＣプロファイルの関連付けを実施する設定を行う。具体的には、レンズＲＯＭ３０内のＩＣＣプロファイルまたはカメラボディ２のＲＯＭ４０ｂ内のＩＣＣプロファイルを、カメラボディ２内のＲＡＭ４０ａにロードする。そして、撮影された画像データを記録する際には、その画像データに関連付けたレンズプロファイル９１(図７)が記録されることとなる。
【００６２】
ステップＳＴ７では、カメラボディ２内における全体制御部４０のＲＯＭ４０ｂを確認する。
【００６３】
ステップＳＴ８では、カメラボディ内のＲＯＭ４０ｂに、現在装着されている交換レンズに対応するＩＣＣプロファイルが格納されているかを判定する。ここで、ＩＣＣプロファイルが格納されている場合には、ステップＳＴ６に進み、格納されていない場合には、ステップＳＴ９に進む。
【００６４】
ステップＳＴ９では、ステップＳＴ３と同様に、デジタルカメラ１で撮影される画像データに対して、レンズに関するＩＣＣプロファイルの関連付けを禁止する。すなわち、カメラボディ２に装着されている交換レンズ３がＩＣＣプロファイルを格納しない場合で、かつカメラボディ２のＲＯＭ４０ａにおいて当該交換レンズの種類に対応するＩＣＣプロファイルが記憶されていない場合には、画像データに対する色補正情報の関連付けを禁止することとなる。
【００６５】
以上のデジタルカメラ１の動作により、カメラボディ２の出荷時に、存在する既存の交換レンズ(これらには交換レンズ内にＩＣＣプロファイルが格納されていない)に対しては、カメラボディ２内のＩＣＣプロファイルによって、交換レンズの特性に応じた適切な色補正が行えるとともに、カメラボディ２の出荷以降に新規に提供される交換レンズに対しては、交換レンズ内のＩＣＣプロファイルによって適切な色補正が行える。つまり、あらゆる交換レンズに対して、交換レンズの特性を反映した色補正を適切に行えることとなる。
【００６６】
なお、デジタルカメラなどにおける画像処理では、画像データに対するホワイトバランス補正を行った後、カラーマッチング用のＩＣＣプロファイルを用いた画像補正を行うのが好ましい。これにより、画像処理において被写体に忠実な色再現が行えることとなる。
【００６７】
＜第２実施形態＞
＜デジタルカメラの要部構成＞
本発明の第２実施形態に係るデジタルカメラ１Ａは、第１実施形態のデジタルカメラ１の構成に類似するが、交換レンズ３Ａの構成が異なっている。このデジタルカメラ１Ａでは、交換レンズ３Ａにおいてフィルタをセットできる構成となっている。
【００６８】
図１０は、光軸Ｌ方向に関する交換レンズ３Ａの断面を示す図である。また、図１１は、図１０のＡ−Ａ位置から見た断面図である。
【００６９】
フィルタ部６は、交換レンズ３Ａ内におけるレンズ群の間に配置され、回転軸６１を中心に回動自在となっている。
【００７０】
フィルタ部６には、３つの円形状のフィルタ６２〜６４が配設されており、フィルタ部６を回転させることにより、３つのフイルタ６２〜６４のうちの１つを光軸Ｌに配置できる。この光軸Ｌに配置されたフィルタによって、撮影者が意図した撮影が可能となる。
【００７１】
また、交換レンズ３Ａ内に設けられ、フィルタ部６の回転状況を検出する検知部６５によって光路にセットされているフィルタの種類を識別する識別情報が提供される。そして、このフィルタ識別情報がカメラボディ２に伝送されることでカメラボディは、選択されているフィルタの種類を検出できることとなる。
【００７２】
フィルタ６２は、紫外領域をカットするＵＶフィルタであり、図４に示すように分光透過特性がフラット、すなわち色の偏りがない分光透過特性を有している。なお、色の偏りのない分光透過特性を有するフィルタとしては、ＮＤフィルタなどがある。
【００７３】
フィルタ６３は、補正フィルタとして機能する４デカミレッドの色温度変換フィルタ(ＬＢＢ４)となっており、被写体に対する光源温度を考慮して撮影者により選択されることとなる。
【００７４】
フィルタ６４は、Ｙ２号の黄色フィルタであり、図１２に示すように480nm程度以下の波長の光を吸収する、すなわち色の偏りのある分光透過特性を有している。
【００７５】
また、交換レンズ３ＡのレンズＲＯＭ４０ａには、交換レンズ３Ａで選択(セット)可能な複数種類のフィルタに関する複数のＩＣＣプロファイルが格納されている。
【００７６】
＜デジタルカメラ１Ａの動作＞
第２実施形態のデジタルカメラ１Ａの動作については、第１実施形態のデジタルカメラ１の動作と類似するが、図９のフローチャートに示すステップＳＴ６の動作が異なる。すなわち、以下で説明するフィルタ交換の動作で、上記のステップＳＴ６の動作を置換すれば、デジタルカメラ１Ａの動作となる。なお、本動作は、検出部６５によってフィルタの選択状態の変化が検出されたときに制御部４０によって実行される。
【００７７】
図１３は、デジタルカメラ１Ａでのフィルタ交換に関する動作を示すフローチャートである。
【００７８】
ステップＳＴ１１では、交換レンズがフィルタ内蔵タイプであるかを判定する。ここでは、例えば交換レンズ３ＡのレンズＲＯＭ３０に格納される情報によって判断することとなる。ここで、フィルタ内蔵タイプである場合には、ステップＳＴ１２に進み、フィルタ内蔵タイプでない場合には、ステップＳＴ１３に進む。
【００７９】
ステップＳＴ１２では、デジタルカメラ１Ａで撮影される画像データに対して、レンズに関するＩＣＣプロファイルの関連付けを実施する設定を行う。具体的には、交換レンズ３ＡのＩＣＣプロファイルを、カメラボディ２内のＲＡＭ４０ａにロードした後、撮影された画像データを記録する際に、その画像データに関連付けたレンズプロファイル９１(図７)を記録することとなる。
【００８０】
ステップＳＴ１３では、検知部６５から提供されるフィルタ識別情報により、撮影者がＵＶフィルタ６２を選択したかを判定する。すなわち、交換レンズ３Ａにセットされるフィルタが色の偏りがない分光透過特性を有するフィルタか否かで、異なる色補正情報が画像データに関連付けされることとなる。ここで、ＵＶフィルタ６２が選択されている場合には、ステップＳＴ１２に進み、選択されていない場合には、ステップＳＴ１４に進む。
【００８１】
ステップＳＴ１４では、検知部６５から提供されるフィルタ識別情報により、撮影者がＬＢＢ４フィルタ６３を選択したかを判定する。ここで、ＬＢＢ４フィルタ６３が選択されている場合には、ステップＳＴ１５に進み、選択されていない場合には、ステップＳＴ１６に進む。
【００８２】
ステップＳＴ１５では、デジタルカメラ１Ａで撮影される画像データに対して、ＬＢＢフィルタ用プロファイルの関連付け、すなわちフィルタの種類に応じた色補正情報の関連付けを実施する設定を行う。具体的には、レンズ特性にＬＢＢ４フィルタの特性が付加されたＩＣＣプロファイルを、レンズＲＯＭ３０からカメラボディ２内のＲＡＭ４０ａにロードする。そして、撮影された画像データを記録する際に、その画像データに関連付けたレンズプロファイル９１(図７)を記録することとなる。
【００８３】
ステップＳＴ１６では、デジタルカメラ１Ａで撮影される画像データに対して、ＩＣＣプロファイルの関連付けを禁止する。これは、色フィルタである黄色フィルタ６４が選択されているため、黄色味を帯びた撮影を行いたい撮影者の意図を尊重し、ＩＣＣプロファイルの関連付けを行わないこととする。
【００８４】
以上のデジタルカメラ１Ａの動作により、フィルタごとに適切にＩＣＣプロファイルを設定できるため、画像データに対して交換レンズのフィルタ特性を反映した色補正を適切に行えることとなる。
【００８５】
＜変形例＞
◎上記の第２実施形態の交換レンズ３Ａについては、３つのフィルタが選択可能な構成であるのは必須でなく、１つのフィルタが交換レンズに内蔵(セット)されているものでも良く、またフィルタが着脱可能な交換レンズでも良い。
【００８６】
さらに、上記の第１、第２実施形態においては、交換レンズ３のＩＣＣプロファイルと撮影画像データを関連付けて記録するようにしたが、色補正回路４８で交換レンズ３のＩＣＣプロファイルに関連付けた色補正処理を行った撮影画像データを記録するようにし、交換レンズ３のＩＣＣプロファイルを記録しないようにしても良い。
【００８７】
なお、色補正に関しては、ＩＣＣプロファイルを用いるのは必須でなく、他のデータフォーマットを用いても良い。
【００８８】
◎上述した具体的実施形態には、以下の構成を有する発明が含まれている。
【００８９】
(１)色補正情報は、カラーマッチング用のプロファイルであることを特徴とするデジタルカメラ。
【００９０】
これにより、被写体に忠実な色再現が適切に行える。
【００９１】
(２)画像処理では、画像データに対するホワイトバランス補正を行った後、上記カラーマッチング用のプロファイルを用いた画像補正を行うことを特徴とする上記(１)に記載のデジタルカメラ。
【００９２】
これにより、被写体に忠実な色再現がより適切に行える。
【００９４】
【発明の効果】
以上に説明したように、請求項１の発明においては、交換レンズで選択可能な複数種類のフィルタに係る複数の色補正情報を格納するため、交換レンズによって異なる色再現特性を意識する必要がなくなり、画像データに対して交換レンズの特性を反映した色補正を適切に行え、さらに複数種類のフィルタの特性を反映した色補正を適切に行える。
【００９５】
また、請求項２ないし請求項６の発明によれば、交換レンズが交換レンズにセットされるフィルタの種類を検出する検出手段を備え、カメラボディが検出手段により検出されたフィルタの種類に応じて色補正情報を画像データに関連付けする。その結果、画像データに対して交換レンズにセットされるフィルタの特性を反映した色補正を適切に行える。
【００９７】
特に、請求項３の発明においては、関連付け手段は交換レンズにセットされるフィルタが色の偏りがない分光透過特性を有するか否かで、異なる色補正情報を画像データに関連付けするか否かを判別するため、撮影者の意図を反映した画像処理が行える。
【００９８】
また、請求項４の発明においては、関連付け手段は交換レンズにセットされるフィルタが色フィルタである場合には、画像データに対する色補正情報の関連付けを禁止するため、撮影者の意図を反映した画像処理が行える。
【００９９】
また、請求項５の発明においては、関連付け手段は交換レンズにセットされるフィルタが色温度補正フィルタである場合には、設定されているフィルタの種類に応じた色補正情報を画像データに関連付けするため、撮影者の意図を反映した画像処理が行える。
【図面の簡単な説明】
【図１】本発明の第１実施形態に係るデジタルカメラ１の要部構成を示す図である。
【図２】第１実施形態に係るデジタルカメラ１の要部構成を示す図である。
【図３】第１実施形態に係るデジタルカメラ１の要部構成を示す図である。
【図４】異なる種類の交換レンズ３に関する分光透過特性を説明するための図である。
【図５】レンズマウント部Ｍｔの要部構成を示す図である。
【図６】デジタルカメラ１の機能ブロック図である。
【図７】メモリカード９のデータ記憶を説明するための図である。
【図８】プロファイルの利用の一例を説明する図である。
【図９】デジタルカメラ１のレンズ交換に関する動作を説明するフローチャートである。
【図１０】本発明の第２実施形態に係る交換レンズ３Ａの断面を示す図である。
【図１１】図１０のＡ−Ａ位置から見た断面図である。
【図１２】黄色フィルタの分光透過特性を説明するための図である。
【図１３】デジタルカメラ１Ａでのフィルタ交換に関する動作を示すフローチャートである。
【符号の説明】
１、１Ａ  デジタルカメラ
２  カメラボディ
３、３Ａ  交換レンズ
３０  レンズＲＯＭ
ＰＦａ  交換レンズのプロファイル
６２  ＵＶフィルタ
６３  色温度変換フィルタ(ＬＢＢ４)
６４  黄色フィルタ
【図１】
0003841152.tif 000002
【図２】
0003841152.tif 000003
【図３】
0003841152.tif 000004
【図４】
0003841152.tif 000005
【図５】
0003841152.tif 000006
【図６】
0003841152.tif 000007
【図７】
0003841152.tif 000008
【図８】
0003841152.tif 000009
【図９】
0003841152.tif 000010
【図１０】
0003841152.tif 000011
【図１１】
0003841152.tif 000012
【図１２】
0003841152.tif 000013
【図１３】
0003841152.tif 000014